(57)【特許請求の範囲】
【請求項１】
個人の生体情報を採取し、対応する個人の予め登録された生体情報と比較して個人認証を行い、入り口に設けられた電気錠の開錠を行う電気錠システムであって、
前記予め登録された生体情報と直近に採取された前記生体情報との類似度が、予め設定された閾値以下になったときに警告を行い、前記予め登録された生体情報を前記入り口の内側から更新できることを特徴とする記載の生体情報利用電気錠システム。
【請求項２】
前記警告が音声でなされることを特徴とする請求項１に記載の生体情報利用電気錠システム。
【請求項３】
前記警告を行う時間帯が設定可能になっていることを特徴とする請求項１に記載の生体情報利用電気錠システム。
【発明の詳細な説明】
【技術分野】
【０００１】
本発明は、生体情報を利用して個人認証を行い、住宅等のドアの開錠を行う生体情報利用電気錠システムに関する。
【背景技術】
【０００２】
近年、住宅等への不正侵入、盗難等の犯罪が増加している。このような犯罪には、施錠されていない窓からの侵入のような、わずかな注意によって防ぐことができるものもあるが、ピッキング等、施錠したドアをこじ開けての侵入のような、通常の注意だけでは十分に防げないものも多い。
【０００３】
こうした犯罪に対応するため、ドアの錠をより頑強なものに変更したり、電子錠に変更して個人認証を行ってから開錠したりするということも行われている。個人認証を行って電子錠を開錠する方法としては、識別コードを記録した磁気カードを使用する方法、パスワードを入力する方法が広く用いられてきた。
【０００４】
しかしながら、磁気カードは、紛失した場合、取得者によって不正使用されるおそれがあると共に、複製が容易なため、一時的に窃取して複製して不正使用する等のことが容易に行われる。また、パスワードによる本人認証は、充分に長くて複雑なパスワードを設定すれば不正を防ぐことができるが、パスワードを複雑にすると本人が覚えることができない、又は忘れてしまうという問題が発生する。このため、一般にパスワードは短くて、かつ自分の誕生日など何らかの意味のある、覚えやすい文字、数字等が設定されることが多い。そのため、不正に侵入しようとする者によって知られてしまう可能性が高い。
【０００５】
上記のような従来の電子錠の欠点を補うため、生体情報による認証を行い、本人であると認証された場合に開錠するという方法が提案されている（例えば、特許文献１〜３参照。）。特許文献１には、主として指紋によって本人を認証する電子錠が、特許文献２には、指紋に加え識別番号入力によって本人を認証する電子錠が開示されている。また、特許文献３には、生体情報を記録したＩＣカードを鍵として使用する技術が開示されている。
【０００６】
生体情報を用いた本人認証は、不正侵入の防止に極めて大きな効果を奏するものと考えられる。しかしながら、生体情報であっても、指紋等の一部のものについては、偽造指等の偽造のおそれが指摘されている。そのため、高い不正侵入防止効果を奏するには、認証に使用する生体情報として、光彩、静脈パターン等、特別な機器を使用しなければ採取することができないものを使用することが望ましい。
【０００７】
このため、指静脈パターンを用いて本人認証を行う技術が、既に実用化され使用されている。例えば、特許文献４には、凹型の溝に指を置き、赤外線を照射させて静脈の血管パターンを撮像し、これによって認証を行う個人認証装置が開示されている。
【特許文献１】特開２００４−７６２７７号公報
【特許文献２】特開２００４−７６２７８号公報
【特許文献３】特開２００４−１３２０７３号公報
【特許文献４】特許３５５８０２５号公報
【発明の開示】
【発明が解決しようとする課題】
【０００８】
ここで、指静脈パターンを用いて行う生体認証では、他の生体認証と同様、予め本人の指静脈パターンが撮像、登録され、認証時に撮像された指静脈パターンと登録されたものとが比較されて類似度が算出され、類似度が一定値（以下、「閾値」という。）以上等の所定の条件を満たすとき、本人と認定される。
【０００９】
しかしながら、指静脈パターンを用いて行う従来の生体認証では、成長等に伴って静脈パターンが変わり、ある時点からは本人と認証されない場合があるという問題を有していた。このような変化によって認証を失敗する場合でも、システム管理者に比較的容易に連絡が取れる状況では、システム管理者に助けを求めて問題を解決することができる。しかしながら、自宅のドア等を開錠するための生体認証では、認証が失敗してしまうと、自宅に入ることができないという重大な問題が発生することになる。
【００１０】
機械式の通常の錠であれば、いわゆる鍵屋を呼んで開錠してもらうことも可能であるが、電気錠の場合、不正開錠を困難にできる分だけ通常の方法では開錠が困難となる。特に一人暮らしの場合、又は他の家族が旅行中などの場合には、生死にかかわる問題となってしまう場合も有る。
【００１１】
以上の現状に鑑み、本発明の目的は、指静脈パターンの経時変化を利用者に知覚させることが可能な生体情報利用電気錠システムを提供する。
【課題を解決するための手段】
【００１２】
上記の課題を解決すべく、本発明は以下の構成を提供する。
請求項１に係る発明は、個人の生体情報を採取し、対応する個人の予め登録された生体情報と比較して個人認証を行い、入り口に設けられた電気錠の開錠を行う電気錠システムであって、前記予め登録された生体情報と直近に採取された前記生体情報との類似度が、予め設定された閾値以下になったときに警告を行い、前記予め登録された生体情報を前記入り口の内側から更新できることを特徴とする。
【００１３】
請求項２に係る発明は、請求項１記載の生体情報利用電気錠システムにおいて、前記警告が音声でなされることを特徴とする。
【００１４】
請求項３に係る発明は、請求項１記載の生体情報利用電気錠システムにおいて、前記警告を行う時間帯が設定可能になっていることを特徴とする。
【発明の効果】
【００１５】
請求項１に係る発明によれば、予め登録された生体情報と直近に採取された生体情報との類似度が、予め設定された閾値以下になったときに警告を行い、予め登録された生体情報を入り口の内側から更新できるため、高い防犯性を確保できると共に、指静脈パターンの経時変化を利用者に知覚させることができる。
【００１６】
請求項２に係る発明によれば、上記請求項１の効果に加えて、警告が音声でなされるため、警告を明確に知覚することが可能な生体情報利用電気錠システムを実現することができる。
【００１７】
請求項３に係る発明によれば、上記請求項１の効果に加えて、警告を行う時間帯が設定可能になっているため、深夜等の不適切な時間帯になることを回避することが可能な生体情報利用電気錠システムを実現することができる。
【発明を実施するための最良の形態】
【００１８】
以下、実施例を示した図面を参照しつつ本発明の実施の形態について説明する。図１は、本発明による生体情報利用電気錠システムの一実施例を示す模式図である。本発明による生体情報利用電気錠システムは、一戸建ての住宅、マンションの各戸、オフィス等の入口や重要な場所の扉等に取り付け可能であり、以下、マンションの入口ドアに取り付ける場合を例にとり説明する。
【００１９】
図１（ａ）は、生体情報利用電気錠システムを入口ドアに設けた構成を説明するための斜視図である。ドア１には錠（室外部分）２が取り付けられており、錠（室外部分）２にはドアノブ４が取り付けられると共に、認証用開口部５が穿たれている。また、ドア１の近傍にはドアホン３が取り付けられている。ここで、ドアノブ４は、人間がドア１を開け閉めするために使用するものであり、図示していないが、ドア１の室内側にも設置されている。以下、図面中のドアノブ４の記載を省略する。また、ドア１には、図示しない電気錠が設けられ施錠可能になっており、電気錠は、室外から開錠する場合、後述する生体情報の認証を行ない、室内から開錠する場合、自由に開錠することができるものとして説明する。
【００２０】
図１（ｂ）及び図１（ｃ）は、それぞれドア１の室外側、室内側から見たときの生体情報利用電気錠システムの構成を説明するための模式図である。また、図１（ｄ）は、図１（ｂ）及び図１（ｃ）に示すＡ−Ａ´線についての模式的な断面図である。図１（ｃ）に示すように、生体情報利用電気錠システムの室内側にはドア１に錠（室内部分）６及び表示装置７が設けられている。
【００２１】
認証用開口部５は、図１（ｄ）に示すように、ドア１、錠（室外部分）２、及び錠（室内部分）６を貫通するように穿たれている。認証用開口部５には、生体情報の認証を行うための、外部扉板８、内部扉板９及び撮像領域１０が設けられている。なお、撮像領域１０は、認証用開口部５内の指静脈パターンの撮像が行われる領域を包括的に示すものとする。
【００２２】
図２は、図１に示す認証用開口部５内の構成を説明するための概念的な図である。図２（ａ）は、指が挿入されていないときの認証用開口部５内の概略の構成を示す拡大図である。認証用開口部５には、さらに、扉板係止具１１、弾性体１２、撮像部１３、及び赤外線ランプ１４が設けられる。
【００２３】
扉板係止具１１は、認証用開口部５内の室内外の入口付近に設置される。弾性体１２は、両端で外部扉板８及び内部扉板９と接し、外部扉板８及び内部扉板９を扉板係止具１１に押し付けるように力を加えるようになっている。このため、通常の状態では、外部扉板８及び内部扉板９は、扉板係止具１１に接した状態になっている。図２（ａ）は、この通常の状態を示している。
【００２４】
赤外線ランプ１４は赤外線を指に照射するための光源であり、照射された赤外線の一部は指の内部で反射又は散乱され、撮像部１３に到達する。静脈に照射された赤外線は一部が血液成分に吸収されるため、撮像部１３には静脈パターンが暗い部分として写ることになる。指静脈パターンの撮像原理及び指静脈パターンの照合アルゴリズム等については、周知・慣用技術であるため、更なる説明は省略する。
【００２５】
図２（ｂ）は、図２（ａ）に示す認証用開口部５に、室外側から指が挿入された状態を示す図である。図２（ｂ）に示すように、外部扉板８が指で押されると、弾性体１２に室外側から軸方向の力が加わって短くなり、外部扉板８が認証用開口部５内に押し込まれる。そして、弾性体１２が縮みうる最短の長さになった状態で、外部扉板８の移動が止まる。この状態で指が認証用開口部５の外に引き抜かれると、弾性体１２が元の状態に復元しようとするため、外部扉板８は、外側に押され扉板係止具１１に押し付けられた状態で静止する。すなわち、図２（ａ）に示す状態に戻る。
【００２６】
図２（ｃ）は、図２（ａ）に示す認証用開口部５に、室内側から指が挿入された状態を示す図である。図２（ｃ）に示すように、内部扉板９が指で押されると、弾性体１２に室内側から軸方向の力が加わって短くなり、内部扉板９が認証用開口部５内に押し込まれる。そして、弾性体１２が縮みうる最短の長さになった状態で、内部扉板９の移動が止まる。この状態で指が認証用開口部５の外に引き抜かれると、弾性体１２が元の状態に復元しようとするため、内部扉板９は、外側に押され扉板係止具１１に押し付けられた状態で静止する。すなわち、図２（ａ）に示す状態に戻る。
【００２７】
上記で説明したように、弾性体１２は、指が挿入されていない通常の状態、及び指が挿入された状態において、外部扉板８及び内部扉板９が適切な場所に位置するように調節されている。したがって、弾性体１２は、図２に示す形状に限定されず、バネ、ゴム、その他の部材を用いて構成されるのでもよい。
【００２８】
通常の状態での外部扉板８及び内部扉板９の近傍には、図２（ａ）、図２（ｂ）、及び図２（ｃ）に示すように、１組の撮像部１３及び赤外線ランプ１４がそれぞれ設置されている。この構成によって、以下に示すように指静脈パターンの撮像が行われる。ここで、赤外線ランプ１４は、図２（ａ）に示す通常の状態では点灯していないが、指が挿入され外部扉板８又は内部扉板９が指に押されて移動したときに点灯し、指が認証用開口部５の外に引き抜かれ、再び通常の状態（図２（ａ））に戻るまで赤外線を照射し続ける。指が認証用開口部５に挿入され奥に入って行くと、指は入り口側の撮像部１３上を徐々に通過し、撮像部１３は指を先端側から部分的に撮像し続ける。そして、外部扉板８又は内部扉板９は扉板係止具１１に当たり停止し、その後、撮像部１３は指の撮像を終了する。そして、撮像して得られた画像をつなぎ合わせることによって、指全体の静脈パターン像が復元される。撮像して得られた画像をつなぎ合わせる方法は周知であるため、その説明を省略する。ここで、認証には、指の第一関節から第二間接までの間の静脈パターンが使用されることが多く、撮像をこの部分に限定するのでもよい。
【００２９】
なお、撮像部１３及び赤外線ランプ１４の個数、配置等については、上記の構成に限定される必要はない。例えば、撮像部１３と赤外線ランプ１４とをセットで認証用開口部５の軸方向に沿って一定間隔で複数設置し、外部扉板８又は内部扉板９が扉板係止具１１に当たり停止した状態（図２（ｂ）又は図２（ｃ）の状態）で、指の所定の部分を撮像するように構成するのでもよい。このように構成することによって、撮像画像をつなぎ合わせる必要がなくなるため、つなぎ合わせに伴う歪等を防止することができる。一方、撮像部１３と赤外線ランプ１４とを１組ずつ配置する上記の構成（図２）では、部品点数が少ないため、構成を簡易にできると共に、故障の発生を低減できる。
【００３０】
また、認証用開口部５の軸方向中央付近に、撮像部１３と赤外線ランプ１４とを１組だけ設置し、指が室外側又は室内側のいずれの方向から挿入された場合にも同じ撮像部を使用して撮像するようにするのでもよい。ただし、この場合、指の第一関節から第二間接までの間の指静脈パターンを撮像できるようにするためには、認証用開口部５の軸方向の長さを、指の先端から第二間接までの長さの２倍以上にする必要がある。そのため、指の先端から第一間接までの間の指静脈パターンを撮像して認証に利用するように構成することが好ましい。撮像部１３と赤外線ランプ１４とを１組にすることよって、全体の構成をさらに簡易にすることができる。ここで、指の先端から第一間接までの間の指静脈パターンを高精度に取得するように構成することによって、認証の信頼性を向上することができる。
【００３１】
なお、図２（ａ）、図２（ｂ）、及び図２（ｃ）に示す構成では赤外線ランプ１４が手前側に記載されているが、赤外線ランプ１４は必要に応じて、複数個所定の場所に配置されるのでもよい。
【００３２】
図３は、本発明の他の一実施例に係る認証用開口部の説明図である。図３は、外部扉板８又は内部扉板９から指が位置する方向について見たときの認証用開口部近傍の構成を示す。図３に示すように、扉板係止具１１’を認証用開口部の上部に設けず、下部に設けるのでもよい。
【００３３】
扉板係止具を認証用開口部の上部に設けた構成は、認証用開口部内への指の挿入の際に扉板係止具が障害とならず好ましい。通常、指を認証用開口部の下部の面に接するように挿入するからである。
一方、下部に設置する構成では、扉板係止具を、図３に示すように指が丁度収まる程度の凹みを有する形状にすることによって、指位置を固定することができ、撮像位置のぶれを防止することができる。
また、上部と下部の両方に設置する構成では、外部扉板８及び内部扉板９を、より高い位置精度で停止させることができる。
【００３４】
図４は、本発明の一実施例に係る認証用開口部の上方の構成を示す図である。図４では、理解の容易さの観点から、外部扉板８及び内部扉板９以外の他の構成部材等の記載は省略されている。外部扉板８と内部扉板９との上部には、それぞれ外部扉板端子１５、内部扉板端子１６が取り付けられ、外部扉板端子１５及び内部扉板端子１６は、それぞれ認証用開口部５を取り巻く壁に設けられたスリットを通して、ドア１内部の空間に突き出している。外部扉板端子１５と内部扉板端子１６とは所定の抵抗値を有する導電体であり、それぞれ、位置検出部の一部をなす導電線１７ａと、移動可能に接している。ここで、位置検出部は、位置検出回路１７ｂと、上記の導電線１７ａとを備える。外部扉板端子１５、内部扉板端子１６、及び導電線１７ａは、位置分解能を確保できる程度の抵抗値を有し、導電線１７ａは、外部扉板端子１５及び内部扉板端子１６の位置に応じて位置検出回路１７ｂ側から見た抵抗値が変化する、例えば単位長さ当たりの抵抗値が一様な金属棒からなる。
【００３５】
その結果、認証用開口部５に挿入された指によって外部扉板８と内部扉板９のいずれか一方が押されて移動したとき、対応する外部扉板端子１５又は内部扉板端子１６が導電線１７ａに沿って移動し、移動した位置に応じて位置検出回路１７ｂ側から見た抵抗値が変化する。すなわち、図２（ａ）に示した通常の状態の抵抗値を基準抵抗値とすると、外部扉板８が移動中の状態では、位置検出回路１７ｂ側から見た抵抗値が徐々に基準抵抗値より下がっていき、図２（ｂ）に示した状態で最小になる。逆に、内部扉板９が移動中の状態では、位置検出回路１７ｂ側から見た抵抗値が徐々に基準抵抗値より上がっていき、図２（ｃ）に示した状態で最大になる。
【００３６】
したがって、位置検出回路１７ｂ側から見た抵抗値を測定することによって、外部扉板８及び内部扉板９の位置を検出することができ、検出した位置に応じて、認証用開口部５内の指の先端からの長さを検出できる。すなわち、撮像部１３の撮像対象部分の指の先端からの位置を知ることができるのである。
【００３７】
なお、施錠及び開錠を行う機構（以下、施錠機構という。）については図１に示していないが、施錠機構は、ドア１の内部に組み込まれている。そのため、錠（室外部分）２に穴を開ける等によって破壊しない限り、施錠機構を操作することはできず、不正にドア１を開けることはできない。
【００３８】
上記では、錠がドア１の室外側に突き出している部分２を有する構成について説明した。図５は、室外側に錠の突き出し部分がない一実施例を示す模式図である。図５（ａ）及び図５（ｂ）は、それぞれドア１の室外側、室内側から見たときの生体情報利用電気錠システムの構成を説明するための模式図であり、図５（ｃ）は、図５（ａ）及び図５（ｂ）に示すＡ−Ａ´線についての模式的な断面図である。図５に示す構成では、ドア１の室外側には錠（室外部分）及びノブが設けられず、認証用開口部５２が見えるようになっている。
【００３９】
この構成における、指静脈パターンを撮像して施錠及び開錠を行う動作に関しては、図１に示した構成について説明した動作と同様である。ただし、図５に示す構成では、ドア１の室外側に、図１に示す錠（室外部分）２が設けられていないため、電気錠の機構部等を破壊から保護しやすくなるため、不正進入の防止効果を向上させることができる。
【００４０】
図６は、室外側に錠の突き出し部分がない他の一実施例を示す模式図である。図６（ａ）及び図６（ｂ）は、それぞれドア１の室外側、室内側から見たときの生体情報利用電気錠システムの構成を説明するための模式図であり、図６（ｃ）は、図６（ａ）及び図６（ｂ）に示すＡ−Ａ´線についての模式的な断面図である。図６に示す構成では、ドア１の室外側には図１に示す錠（室外部分）２が設けられず、認証用開口部５３が見える点では、図５に示すものと同様であるが、以下に説明するように異なる。
【００４１】
図６に示す構における、指静脈パターンを撮像して施錠及び開錠を行う動作に関しては、図１に示した構成について説明した動作と同様である。また、図６に示す構成は、図５に示す構成と同様にドア１の室外側に、図１に示す錠（室外部分）２が設けられていないため、不正進入の防止効果を向上させることができる。ただし、図５に示す構成と比較して、錠（室内部分）６３の室内方向への突き出しを短くすることができる。
【００４２】
ここで、本発明による生体情報利用電気錠システムを構成する電気錠は、ドア１の内部に設けられ、後述する生体認証制御処理部からの施錠又は開錠の指示に応じて動作するようになっている。電気錠としては、モータを用いてデッドボルトを施錠及び開錠方向に移動させる構成、その他の構成のもの等を用いることができる。
【００４３】
図７は、本発明による生体情報利用電気錠システムの電気的構成の一実施例を示すブロック図である。生体認証制御処理部３０は、ＣＰＵ１８、メモリ１９、記録装置２０、撮像制御装置２１、指位置検出装置２２、施錠・開錠制御装置２３、音声出力制御装置２５、表示制御装置２６、入力制御装置２７を備えている。図７に示す構成では、各構成部１８〜２３、２５〜１７が内部バスを介して相互に通信可能に接続されているが、必ずしも内部バスを用いた構成に限定するものではない。
【００４４】
ＣＰＵ１８は、記録装置２０に記憶されたソフトウェア（以下、認証ソフトという。）を読み出して所定の制御処理、情報処理を行うようになっている。具体的には、ＣＰＵ１８は、撮像制御装置２１等の動作の制御、判断処理、その他の処理を行う。
【００４５】
記憶装置２０は、認証ソフト７０、認証ソフト７０が参照し更新する生体情報登録ファイル８０、環境設定ファイル９０等を記憶する。生体情報登録ファイル８０には、開錠して入室する居住者の指静脈パターン等が記録されている。環境設定ファイル９０には、生体情報利用電気錠システムの動作環境等が記録されている。なお、記憶装置２０は、さらに、生体情報利用電気錠システムの動作に必要な他のソフトウェア及びファイルが記憶される。
【００４６】
メモリ１９は、認証ソフト７０の実行に必要な情報を一時的に記憶する等の目的で使用される。なお、ＣＰＵ１８、メモリ１９、及び記憶装置２０としては、汎用のパーソナルコンピュータを使用してもよい。
【００４７】
撮像制御装置２１は、撮像部１３及び赤外線ランプ１４を制御して指静脈パターンを撮像するようになっている。具体的には、撮像制御装置２１は、ＣＰＵ１８からの指示に応じて、赤外線ランプ１４を点灯又は消灯させ、撮像部１３を制御して一定間隔で指静脈パターンを撮像させ、得られた画像（以下、撮像結果画像という。）をＣＰＵ１８に送信する。ＣＰＵ１８は、認証ソフト７０の指令に従って、撮像制御装置２１から受信した撮像結果画像をつなぎ合わせ、認証に必要な部分の指静脈パターンの画像を生成する。
【００４８】
指位置検出装置２２は、位置検出回路１７ｂ側から見た抵抗値が位置検出回路１７から入力され、この抵抗値と基準抵抗値とを比較し、指が挿入されたか否かについての判断と、挿入されたと判断したときの室外又は室内のいずれの方向から挿入されたか等の判断と挿入された距離の算出等の処理を行う。これらの判断処理及び算出処理は、随時行われ、ＣＰＵ１８からの要求に応じて判断結果と必要に応じて算出結果である指位置情報が返送される。ＣＰＵ１８は、撮像制御装置２１から撮像結果画像を受信したとき、直後に指位置検出装置２２に指位置情報を返却するように要求し、これによって撮像結果画像が得られた指の先端から位置を知ることができるのである。
【００４９】
なお、撮像結果画像が撮像された時刻と指位置検出装置２２から指位置情報をＣＰＵ１８が受け取る時刻との差が問題になる場合は、例えば撮像制御装置２１内に計時機構を持ち、撮像結果画像と共に撮像時刻をＣＰＵ１８にするのでもよい。ただし、撮像結果画像が撮像された時刻と指位置情報をＣＰＵ１８が受け取る時刻との差は、認証の際の指の速度を予め所定の範囲に設定しておけば、動作上問題とならない。
【００５０】
位置検出部１７は、導電線１７ａに外部扉板端子１５及び内部扉板端子１６が接触し、位置検出回路１７ｂ側から見た抵抗値をＣＰＵ１８に送信するようになっている。
【００５１】
施錠・開錠制御装置２３は、ＣＰＵ１８からの要求に応じて、施錠・開錠機構２４を制御して不図示のデッドロック等を移動させて施錠又は開錠すると共に、ＣＰＵ１８からの要求に応じて、施錠状態か否かについての情報を返送する。また、ドア１の開閉状態についての情報が必要な場合は、例えばドア１の側面と対向するドア枠部分に赤外線センサーを設けることによって、この情報を容易に得ることができる。ここで、施錠・開錠制御装置２３及び施錠・開錠機構２４は、ドア１の内部に収納される。
【００５２】
音声出力制御装置２５は、ＣＰＵ１８からの要求に応じて、ドアホン３に所定の音声を出力し、又は室内に設置されたブザー２９を鳴動させる。音声出力制御装置２５は、また、ＣＰＵ１８からの要求により、現状の設定音量等についての情報を返送し、又は音量の設定を変更する。ドアホン３及びブザー２９は、家庭用のドアホンシステム等で周知であるため、更なる説明を省略する。なお、ドアホン３は、記憶装置７０に予め記憶された音声を、ＣＰＵ１８からの要求に応じて再生するようになっているのでもよい。
【００５３】
表示制御装置２６は、ＣＰＵ１８からの要求に応じて、表示装置７に画面を表示するようになっている。表示制御装置２６は、また、ＣＰＵ１８からの要求により、表示装置７が表示中の画面等についての情報を返送し、又は画面の色合い等の設定を変更する。なお、表示装置７は、記憶装置７０に予め記憶された画面をＣＰＵ１８からの要求に応じて表示するようになっているのでもよい。
【００５４】
入力制御装置２７は、タッチパネル２８を制御する。タッチパネル２８は、表示装置７の表面に装着され、指でタッチされた場合に、タッチされた部分の位置情報等を入力制御装置２７に送信するようになっている。入力制御装置２７は、タッチパネル２８から送信された位置情報等をＣＰＵ１８に送信する。また、ＣＰＵ１８からの要求に応じて、タッチパネル２８の現在の動作状況等を送信する。
【００５５】
図８は、本発明による生体情報利用電気錠システムにおいて用いられる生体情報登録ファイルのデータ構造を示す図である。生体情報登録ファイル８０には、図８に示すように、登録名８０１、生体情報８０２、閾値８０３、警告値８０４、ブザー要否８０５、設定変更可否８０６、登録可否８０７、変更可否８０８、再登録可否８０９、及び削除可否８１０を１組とする情報が、必要な組数だけ登録されている。
【００５６】
登録名８０１は、登録されている生体情報８０２等が誰のものであるか、又は誰のどの指のものであるかを記憶するための情報であり、例えば「むすめ１  左  人差し指」等の情報が記憶される。なお、「左」「人差し指」等の部位を特定する情報を登録名８０１とは別に記憶しておき、例えば後述する認証処理で照合に失敗したときに、どの指を認証の対象とするかをドアホン３から音声で指示するのでもよい。
【００５７】
生体情報８０２には、登録名８０１に対応する指静脈パターン情報が記憶される。
【００５８】
閾値８０３は、指静脈パターンの照合処理において使用される。例えば、類似度が閾値８０３以上のとき（又は閾値８０３を超えているとき）、照合が得られたとの判断がなされる。
【００５９】
警告値８０４は、同様に指静脈パターンの照合処理において使用される。例えば、類似度が警告値８０４以下のとき（又は警告値８０４未満のとき）、認証対象者に警告が発せられる。ここで、閾値８０３と警告値８０４とは、閾値８０３が警告値８０４より小さくなるように設定され、類似度が閾値８０３以上であるが警告値８０４以下である場合に、上記の警告がなされるようになっている。この場合は、指静脈パターンが登録時から変化していると判断され、このまま放置することによって、類似度が閾値８０３未満となり、認証できなくなるおそれあるため、警告は、これを回避するようになっている。
【００６０】
なお、単に類似度が警告値８０４以下を条件として警告するのではなく、生体情報登録ファイル８０に、例えば最近の２０回分の認証時の類似度等の本人の認証履歴を記憶しておき、類似度の変化を曲線で近似し、この曲線の変化が減少傾向であって且つ類似度が警告値８０４以下である場合に、警告を発するようにしてもよい。警告は、ドアホン３を介して音声メッセージでなされる。
【００６１】
ブザー要否８０５は、警告を発する場合にブザー２９を鳴動させるか否かを指定する情報であり、ＣＰＵ１８によって参照される情報である。具体的には、ＣＰＵ１８は、ブザー要否８０５が「要」になっている場合にブザー２９を鳴動させ、ブザー要否８０５が「否」になっている場合には認証に失敗した場合でも、ブザー２９を鳴動させないようにブザー２９を制御する。小さな子供等の操作に慣れない家族のいる家庭では、ブザー要否８０５を「要」に設定しておくことによって、子供等に対して警告が発された場合に中に居る親が気づくようにすることができ、好ましい。一方、大人等の生体情報を更新できる家族だけの家庭の場合には、わざわざブザー２９を鳴動させる必要はないため、ブザー要否８０５を「否」に設定しておけばよい。
【００６２】
設定変更可否８０６、登録可否８０７、変更可否８０８、再登録可否８０９、及び削除可否８１０は、いずれも認証対象者のシステム操作資格を設定するための情報である。具体的には、小さな子供等の操作に適しない者が自由に生体情報を登録したり削除したりできるようにすると、誤って情報が削除される等の事故につながる場合があるため、操作資格を有する者だけが、生体情報の登録、削除等の所定の操作を行うことができるように、これらの情報８０６〜８１０は設定されるのでもよい。
【００６３】
設定変更可否８０６は、環境設定ファイル９０の内容の変更可否（「可」又は「否」）を設定するための情報である。また、登録可否８０７は後述する登録処理の実施可否（「可」又は「否」）を、変更可否８０８は変更処理の実施可否（「可」又は「否」）を、再登録可否８０９は再登録処理の実施可否（「可」又は「否」）を、削除可否８１０は削除処理の実施可否（「可」又は「否」）を設定するための情報である。
【００６４】
なお、設定変更可否８０６、登録可否８０７、変更可否８０８、再登録可否８０９、及び削除可否８１０のそれぞれについては、生体情報登録ファイル８０に登録された者全員が「否」となる設定が禁止され、誰も「否」とされた操作ができなくなってしまうことを避けるようになっている。
【００６５】
図９は、本発明による生体情報利用電気錠システムにおいて用いられる環境設定ファイルのデータ構造を示す図である。環境設定ファイル９０には、通知要否９０１、通知要時間帯９０２が記憶されている。通知要否９０１にはブザー２９を介した通知の要否が設定され、通知要時間帯９０２にはこの通知を要する時間帯が設定される。
【００６６】
通知要否９０１が「要」の場合、認証に失敗したときにブザー２９が鳴動し、「否」の場合は、鳴動しない。また、通知要否９０１を「要」とした場合、ブザー２９を鳴動させる時間帯を通知要時間帯９０２に設定できるようになっている。なお、図９には、通知要時間帯９０２が１つの構成例について説明したが、複数の時間帯を設定できるように通知要時間帯を複数設けるのでもよいし、また、例えば曜日や日付毎に異なる時間帯を設定できるようにするのでもよい。
【００６７】
小さな子供等の操作に不慣れな家族がいる家庭では、ブザー要否８０５を「要」に設定しておくことによって、子供が認証に失敗した場合に、中にいる親がそのことに気づくことが可能となるため、好ましい。一方、ブザー要否８０５を「否」に設定しておくことによって、いたずら等でブザー２９が鳴動することを避けることが可能となるため、好ましい。
【００６８】
なお、ブザー要否８０５を「要」とした場合、ブザー２９を鳴動させる時間帯を設定できるようにするのでもよい。このように構成することによって、深夜等にいたずらでブザー２９が鳴らされることなどを防ぐことができる。
【００６９】
さらに、認証に失敗した場合、通知要否９０１が「要」であり、且つ通知要時間帯９０２に設定された時間内のとき、予め契約しておいたセキュリティサービス会社等の所定の連絡先に連絡が送られるようになっているのでもよい。このように構成することによって、不正侵入が試みられたときに、認証に失敗したという事実を上記の連絡先に通報されるようにできるだけでなく、万が一認証できなくなった場合に、開錠してもらうことが可能になる。
【００７０】
以下、指静脈パターンの登録等に関する生体認証制御処理部３０の動作についてについて説明する。図１０は、本発明による生体情報利用電気錠システムにおける生体情報登録及び認証について説明するためのフローチャートである。以下、図１１〜図１７に示す表示画面例を用いて説明する。
【００７１】
生体認証制御処理部３０が起動されると、ＣＰＵ１８は表示装置７に初期画面を表示する（Ｓ１０１）。図１１は、表示装置７に表示される初期画面の一例を示す図である。次に、ＣＰＵ１８は、外部扉板８又は内部扉板９が操作（すなわち指が挿入され、移動）されるのを待ち続ける（Ｓ１０２）。
【００７２】
次に、外部扉板８又は内部扉板９が操作された場合、ＣＰＵ１８は、操作されたのが、外部扉板８、内部扉板９のどちらであるかを判定し、外部扉板８である場合には、認証処理を行い、内部扉板９である場合には、登録処理等を行う（Ｓ１０３）。これは、室外から入室する場合は開錠に認証を必要とするが、室内から外に出る場合には自由にドア１を開けられる必要があるので、認証を行う必要はないことによるものである。また、室内側から内部扉板９が操作された場合は、操作者は開錠しようとするものではないため、ステップＳ１０３で生体情報の登録処理等を行う。
【００７３】
外部扉板８が操作された場合、ＣＰＵ１８は、撮像装置１３から撮像結果画像を受け取り、これをつなぎ合わせて認証に必要な部分の指静脈パターンの画像を作成し、生体情報登録ファイル８０に記録された全ての生体情報８０２と照合（すなわち類似度の計算）を行い、類似度が最も高い生体情報８０２を選択する（Ｓ１０４）。万が一、類似度が最も高いとされた生体情報８０２が複数存在する場合は、これらの複数の生体情報８０２を選択する。
【００７４】
次に、選択した各生体情報８０２の閾値８０３とステップＳ１０４で得られた類似度とを比較し、類似度が閾値８０３以上となるものがない場合、認証処理を終了する（Ｓ１０５）。この場合、ドアホン３から「認証に失敗しました」等の音声メッセージを流して通知するようにするのでもよい。また、外部扉板８の内部に振動子を組み込んでおき、外部扉板端子１５を経由させて電力を供給し、振動子を振動させて通知するのでもよい。このように構成することによって、目の不自由な人、耳の不自由な人等でも、認証に失敗したことを知ることが可能となる。なお、このような振動子を設ける構成は、内部扉板９及び内部扉板端子１６を介するようにしても同様に実現することができる。
【００７５】
また、各生体情報８０２に識別番号を付与して生体情報８０２と対応付けて記録しておき、ドア１の外側に例えば小型の数字キーボードを設置し、これを使用して識別番号を入力させることによって、照合対象の生体情報８０２を選択するようにするのでもよい。このように構成することによって、違う人の生体情報８０２と照合することを回避することができる。
【００７６】
ステップＳ１０５で、選択した各生体情報８０２の閾値８０３とステップＳ１０４で得られた類似度とを比較し、類似度が閾値８０３以上のものがあった場合、ＣＰＵ１８は、施錠・開錠制御装置２３に開錠するように指示する（Ｓ１０６）。
【００７７】
次に、ＣＰＵ１８は選択した各生体情報８０２のうち、類似度が閾値８０３以上でかつ警告値８０４以下のものが存在する場合（Ｓ１０７）、ドアホン３から「照合が困難になっています」等の音声メッセージを流し、同時に表示装置７に、図１７に示すような警告画面を表示する（Ｓ１０８）。
【００７８】
次に、ＣＰＵ１８は、開錠して一定時間（例えば３０秒）が経過した時点から一定時間間隔（例えば１０秒）で継続的に、施錠・開錠制御装置２３に、ドア１が閉じた状態であるか否かについて問い合わせ、通知を受ける（Ｓ１０９）。ＣＰＵ１８は、ステップ１０９で受けた通知に基づいて、開錠してから一定時間（例えば３０秒）が経過し、かつドア１が閉じた状態にあると判断した場合、施錠・開錠制御装置２３に施錠するように指示し、認証処理を終了する（Ｓ１１０）。なお、開錠してから長時間（例えば１分間）経過してもドア１が閉じた旨の通知を受けない場合、ＣＰＵ１８は、ドアホン３から「ドアを閉じてください」等の音声メッセージを流して注意を促す。
【００７９】
以下、外部扉板８及び内部扉板９のいずれも操作されていない場合の処理について説明する。ＣＰＵ１８は、表示装置７に表示中の画面が警告画面であるか否かを判定し（Ｓ１２０）、警告画面でない場合（すなわち初期画面の場合）は、ステップＳ１０２の処理に戻る。警告画面を表示中の場合には、ＣＰＵ１８は、「いいえ」がタッチされたかどうか判定し（Ｓ１２１）、タッチされていない場合には、ステップＳ１０２の処理に戻る。また、タッチされた場合には、ＣＰＵ１８は、表示装置７に、再び初期画面を表示する（Ｓ１０１）。
【００８０】
次に、内部扉板９が操作された場合の処理について説明する。内部扉板９が操作された場合、ＣＰＵ１８は、表示装置７に表示している画面が、初期画面であるか、又は警告画面であるかを判定する（Ｓ１２２）。初期画面が表示されていた場合には、登録、変更、削除、再登録等の処理（以下、登録更新処理という。）を行い（Ｓ１２３）、警告画面が表示されていた場合には、再登録処理を行う（Ｓ１２４）。
【００８１】
まず、ステップＳ１２３で行う登録更新処理について、画面例を参照して説明する。まず、ＣＰＵ１８は、既に内部扉板９が操作されているため、撮像装置１３から撮像結果画像を受け取り、これをつなぎ合わせて認証に必要な部分の指静脈パターンの画像を生成する。次に、生体情報登録ファイル８０に記録された全ての登録名８０１を抽出し、例えば図１２に示すように表示する。
【００８２】
操作者が表示装置７の画面の該当する箇所（例えば「ぱぱ」と表示された部分）を指でタッチしたとき、ＣＰＵ１８は、タッチされた登録名８０１が選択されたものと判断して、対応する生体情報８０２と照合（すなわち類似度の計算）を行う。
【００８３】
得られた類似度が閾値８０３未満である場合、ＣＰＵ１８は、図示していないが、表示装置７に所定時間（例えば１０秒間）エラーメッセージを表示して登録更新処理を終了し、表示装置７に再び初期画面を表示する。類似度が閾値８０３以上の場合、ＣＰＵ１８は、表示装置７に例えば図１３に示す処理選択画面を表示する。ここで、処理選択画面に表示される処理は、対応する、設定変更可否８０６、登録可否８０７、変更可否８０８、再登録可否８０９、又は削除可否８１０が「可」に設定されている処理のみである。実行が許されていない処理を表示することは、弊害が多いからである。
【００８４】
操作者が表示装置７の画面の該当する箇所（例えば「新しく登録する」と表示された部分）を指でタッチしたとき、ＣＰＵ１８はタッチされた部分に表示されている処理を行う。
【００８５】
操作者が「新しく登録する」をタッチした場合、ＣＰＵ１８は、表示装置７に例えば図１４に示す画面を表示する。そして、操作者が、画面上に表示された５０音のソフトウェアキーボードを操作して、登録名を入力し、「次へ」のボタンを指でタッチしたとき、ＣＰＵ１８は例えば図１５に示す画面を表示する。
【００８６】
操作者は、画面上に表示された「警告レベル」、「警告ブザー要否」、「設定変更可否」、「登録可否」、「変更可否」、「再登録可否」、「削除可否」の各項目について、所望の値を指でタッチすることによって選択することができる。ここで、警告レベル以外の上記の各項目についての選択すべき値については、生体情報登録ファイル８０の設定内容と同様であるため、説明を省略する。
【００８７】
警告レベルは生体情報登録ファイル８０の警告値８０４と対応しているが、ユーザは直接、類似度についての警告値を適切に設定できない。そのため、警告レベルを、「きつめ」、「ゆるめ」、及び「中間」の３段階に分けて選択させるようにする。具体的には、「きつめ」が選択された場合は、警告値８０４に比較的高めの値を設定し、「ゆるめ」が選択された場合には、警告値８０４に比較的低めの値を設定し、「中間」が選択された場合には、警告値８０４に中間的な値を設定する。例えば、小さな子供については「ゆるめ」を設定することによって、指の置き方が少しずれたような場合にも、認証することが可能になり、頻繁に警告が発せられることを防止することができる。
【００８８】
設定値については、予め所定の値が設定されるようにするのでも、環境設定ファイル９０に各選択に対応した設定値を設けて、操作資格を有する者が変更できるようにするのでもよい。ただし、いずれの場合にも、閾値８０３が警告値８０４未満という条件を満足するように設定する必要がある。なお、上記では３段階としたが、２段階でも５段階でもよい。
【００８９】
さて、操作者が図１５に示す各項目を選択し、「次へ」のボタンをタッチしたとき、図９には示していないが、ＣＰＵ１８は、表示装置７に、新たに登録する人の指を認証用開口部５に挿入するように要求するメッセージを表示する。画面の操作者自身又は操作者以外の者が指を認証用開口部５に挿入したとき、ＣＰＵ１８は指静脈パターンの撮像結果画像を取得する。そして、一連の操作において入力された各設定値を生体情報登録ファイル８０に対応させて記録する。具体的には、登録名を登録名８０１に、取得した指静脈パターンの撮像結果画像を生体情報８０２に、所定の値を閾値８０３に、選択された警告レベルに応じた値を警告値８０４に、選択された警告ブザー要否、設定変更可否、登録可否、変更可否、再登録可否、及び削除可否の値をそれぞれ対応するブザー要否８０５、設定変更可否８０６、登録可否８０７、変更可否８０８、再登録可否８０９、及び削除可否８１０に記録する。
【００９０】
上記の記録が終了したとき、ＣＰＵ１８は、登録処理を終了し、表示装置７に初期画面を表示する。なお、図１５に示す画面おいて、操作者が「前へ」のボタンをタッチしたとき、ＣＰＵ１８は、表示装置７に再び図１４に示す画面を表示する。
【００９１】
図１３に示す画面において、操作者が「変更する」をタッチしたとき、ＣＰＵ１８は、表示装置７に例えば図１６に示す画面を表示する。ここで、操作者が表示装置７の画面の該当する箇所（例えば「ぱぱ」と表示された部分）を指でタッチしたとき、ＣＰＵ１８はタッチされた登録名８０１が選択されたものと判断して、以下に示すように、対応する登録名８０１等の変更処理を行う。
【００９２】
まず、ＣＰＵ１８は、表示装置７に例えば図１４に示す画面を表示する。ただし、画面のタイトルは「名前を変更してください」等とし、登録名として、既に登録されている登録名８０１を表示する。操作者が、画面上に表示された５０音のソフトウェアキーボードを操作して、登録名を変更し、「次へ」のボタンを指でタッチしたとき、ＣＰＵ１８は例えば図１５に示す画面を表示する。ただし、画面のタイトルは「設定値を変更してください」等とし、各項目の設定値として、警告値８０４等に設定されている値が選択されているように（例えば設定されている値の色を変更する等）表示する。なお、警告値８０４については、設定値を「きつめ」、「ゆるめ」、及び「中間」の３段階に分けて表示すればよい。
【００９３】
なお、上記で説明したように、設定変更可否８０６、登録可否８０７、変更可否８０８、再登録可否８０９、及び削除可否８１０のそれぞれについて、全ての登録名８０１に「否」が設定されると、誰も対応する処理を実行できなくなるため、このような変更の設定指示に対しては、表示装置７にエラーメッセージを表示するようにする。
【００９４】
さて、操作者が登録処理と同様にして、図１５の各項目を選択し、「次へ」のボタンをタッチしたとき、ＣＰＵ１８は、同様に、一連の操作において入力された登録名を登録名８０１に、選択された警告レベルから生成した値を警告値８０４に、選択された警告ブザー要否、設定変更可否、登録可否、変更可否、再登録可否、及び削除可否の値を、それぞれ、ブザー要否８０５、設定変更可否８０６、登録可否８０７、変更可否８０８、再登録可否８０９、及び削除可否８１０に記録（変更）する。記録が終了したとき、ＣＰＵ１８は、登録処理を終了し、表示装置７に初期画面を表示する。
【００９５】
操作者が、「登録しなおす」をタッチした場合、ＣＰＵ１８は、表示装置７に例えば図１６に示す画面を表示する。ただし、画面のタイトルを「再登録対象を選んでください」等とする。そして、操作者が、表示装置７の画面の該当する箇所（例えば「ぱぱ」と表示された部分）を指でタッチしたとき、ＣＰＵ１８はタッチされた登録名８０１が選択されたものと判断して、以下に説明するように、対応する生体情報８０２及び閾値８０３の再登録処理を行う。
【００９６】
まず、ＣＰＵ１８は、図示していないが、表示装置７に、再登録する人の指を認証用開口部５に挿入するように要求するメッセージを表示する。再登録対象者が指を認証用開口部５に挿入したとき、ＣＰＵ１８は指静脈パターンの撮像結果画像を取得する。そして、取得した指静脈パターンの撮像結果画像を生体情報８０２に、所定の値を閾値８０３に記録（変更）する。記録が終了したとき、ＣＰＵ１８は、再登録処理を終了し、表示装置７に初期画面を表示する。
【００９７】
操作者が、「消す」をタッチした場合、ＣＰＵ１８は、表示装置７に例えば図１６に示す画面を表示する。ただし、画面のタイトルを「削除対象を選んでください」等とする。そして、操作者が、表示装置７の画面の該当する箇所（例えば「ぱぱ」と表示された部分）を指でタッチしたとき、ＣＰＵ１８はタッチされた登録名８０１が選択されたものと判断して、生体情報登録ファイル８０から該当する登録名８０１の情報を削除する。
【００９８】
ただし、この削除によって、設定変更可否８０６、登録可否８０７、変更可否８０８、再登録可否８０９、及び削除可否８１０のそれぞれについて「可」となっている人が存在しなくなる場合には、削除を行わず、表示装置７にエラーメッセージを表示する。削除が終了したとき、ＣＰＵ１８は、再登録処理を終了し、表示装置７に初期画面を表示する。
【００９９】
操作者が、「設定を変更する」をタッチした場合、ＣＰＵ１８は、図示していないが、表示装置７に環境設定ファイル９０の各項目名と設定内容を表示し、操作者がこれに対する変更入力できるようにする。変更入力が終了し、操作者がその旨を指示したとき、ＣＰＵ１８は変更された値を、環境設定ファイル９０の各項目に設定する。設定が終了したとき、ＣＰＵ１８は、設定変更処理を終了し、表示装置７に初期画面を表示する。
【０１００】
次に、ステップＳ１２４で行う再登録処理について、画面例を参照して説明する。この場合、表示装置７には、例えば図１７に示す警告画面が表示されており、かつ、操作者が室内側から認証用開口部５に指を挿入しているため、ＣＰＵ１８は、撮像装置１３から撮像結果画像を受け取り、これをつなぎ合わせて認証に必要な部分の指静脈パターンの画像を作成する。そして、生体情報登録ファイル８０に記録された全ての登録名８０１を抽出し、例えば図１２に示すように表示する。操作者が、表示装置７の画面の該当する箇所（例えば「ぱぱ」と表示された部分）を指でタッチしたとき、ＣＰＵ１８はタッチされた登録名８０１が選択されたものと判断して、対応する生体情報８０２と照合（すなわち類似度の計算）を行う。
【０１０１】
計算で得られた類似度が閾値８０３未満である場合、ＣＰＵ１８は、図示していないが、表示装置７に所定時間（例えば１０秒間）エラーメッセージを表示して再登録処理（Ｓ１２４）を終了し、表示装置７に、再び警告画面を表示する。計算した類似度が閾値８０３以上の場合、ＣＰＵ１８は、表示装置７に例えば図１６に示す画面を表示する。ただし、画面のタイトルを「再登録対象を選んでください」等とする。
【０１０２】
そして、操作者が、表示装置７の画面の該当する箇所（例えば「ぱぱ」と表示された部分）を指でタッチしたとき、ＣＰＵ１８はタッチされた登録名８０１が選択されたものと判断して、以下に示すように、対応する生体情報８０２及び閾値８０３の再登録処理を行う。まず、ＣＰＵ１８は、図示していないが、表示装置７に、再登録する人の指を認証用開口部５に挿入するように要求するメッセージを表示する。再登録対象者が指を認証用開口部５に挿入したとき、ＣＰＵ１８は指静脈パターンの撮像結果画像を取得する。そして、取得した指静脈パターンの撮像結果画像を生体情報８０２に、所定の値を閾値８０３に記録（変更）する。記録が終了したとき、ＣＰＵ１８は、再登録処理を終了し、表示装置７に初期画面を表示する。
【０１０３】
以下、本発明による生体認証制御処理部３０をネットワーク接続する構成例について説明する。図１８は、本発明による生体認証制御処理部をネットワーク接続する構成例を示す概念図である。各生体認証制御処理部３０は、ネットワーク３１を経由して、錠管理サーバ３２と相互に通信可能に接続されている。ここで錠管理サーバ３２は、例えば、セキュリティ保証会社のサーバである。
【０１０４】
このように構成することによって、いずれかの生体認証制御処理部３０において認証に失敗した場合、錠管理サーバ３２に通知されるようにすることができる。そして、通知を受けた錠管理サーバ３２は、図示していないが保安員等にメッセージを送り知らせることができる。このように構成することによって、例えば、保安員等は、携帯電話等を利用して認証に失敗した人の身元を確認した上で、錠管理サーバ３２を操作して、ネットワーク３１経由で、各生体認証制御処理部３０に開錠指示を送り、これによって開錠する等の対応ができるようになると共に、ユーザの負担を削減できる。
【図面の簡単な説明】
【０１０５】
【図１】本発明による生体情報利用電気錠システムの一実施例を示す模式図である。
【図２】図１に示す認証用開口部５内の構成を説明するための概念的な図である。
【図３】本発明の他の一実施例に係る認証用開口部の説明図である。
【図４】本発明の一実施例に係る認証用開口部の上方の構成を示す図である。
【図５】室外側に錠の突き出し部分がない一実施例を示す模式図である。
【図６】室外側に錠の突き出し部分がない他の一実施例を示す模式図である。
【図７】本発明による生体情報利用電気錠システムの電気的構成の一実施例を示すブロック図である。
【図８】本発明による生体情報利用電気錠システムにおいて用いられる生体情報登録ファイルのデータ構造を示す図である。
【図９】本発明による生体情報利用電気錠システムにおいて用いられる環境設定ファイルのデータ構造を示す図である。
【図１０】本発明による生体情報利用電気錠システムにおける生体情報登録及び認証について説明するためのフローチャートである。
【図１１】表示装置７に表示される初期画面の一例を示す図である。
【図１２】登録名を表示する画面の一例を示す図である。
【図１３】操作内容を表示する画面の一例を示す図である。
【図１４】ソフトウェアキーボードを有する入力画面の一例を示す図である。
【図１５】設定値の入力画面の一例を示す図である。
【図１６】認証対象者を表示する画面の一例を示す図である。
【図１７】警告画面の一例を示す図である。
【図１８】本発明による生体認証制御処理部をネットワーク接続する構成例を示す概念図である。
【符号の説明】
【０１０６】
１  ドア
２  錠（室外部分）
３  ドアホン
４  ドアノブ
５、５２、５３  認証用開口部
６、６２、６３  錠（室内部分）
７  表示装置
８、８３  外部扉板
９、９３  内部扉板
１０、１０３  撮像部
１１、１１’  扉板係止具
１２  弾性体
１３  撮像装置
１４  赤外線ランプ
１５  外部扉板端子
１６  内部扉板端子
１７  位置検出部
１７ａ  導電線
１７ｂ  位置検出回路
１８  ＣＰＵ
１９  メモリ
２０  記録装置
２１  撮像制御装置
２２  指位置検出装置
２３  施錠・開錠制御装置
２４  施錠・開錠機構
２５  音声出力制御装置
２６  表示制御装置
２７  入力制御装置
２８  タッチパネル
２９  ブザー
３０  生体認証制御処理部
３１  ネットワーク
３２  錠管理サーバ
７０  認証ソフト
８０  生体情報登録ファイル
９０  環境設定ファイル
８０１〜８１０  生体情報登録ファイル内の設定値
９０１、９０２  環境設定ファイル内の設定値
【図１】
0004749916.tif 000002
【図２】
0004749916.tif 000003
【図３】
0004749916.tif 000004
【図４】
0004749916.tif 000005
【図５】
0004749916.tif 000006
【図６】
0004749916.tif 000007
【図７】
0004749916.tif 000008
【図８】
0004749916.tif 000009
【図９】
0004749916.tif 000010
【図１０】
0004749916.tif 000011
【図１１】
0004749916.tif 000012
【図１２】
0004749916.tif 000013
【図１３】
0004749916.tif 000014
【図１４】
0004749916.tif 000015
【図１５】
0004749916.tif 000016
【図１６】
0004749916.tif 000017
【図１７】
0004749916.tif 000018
【図１８】
0004749916.tif 000019